(57)【要約】      （修正有）【課題】図面から迅速かつ容易にパネルの太陽電池容量を把握する。【解決手段】屋根の上に敷設される太陽光発電パネルの太陽電池容量を把握するための太陽光発電パネルレイアウトスケール１であって、建物立面図に重ねる透明シート２にて構成され、透明シート２には、基準線１０とレイアウト図２０が描かれており、基準線１０は、屋根の外周線の少なくとも二辺に対応する二本の直線からなり、レイアウト図２０は、太陽光発電パネルを屋根の勾配に合わせて傾斜した状態のパネル立面図２１を、基準線１０から所定距離離れた位置で上下左右に複数並列させて構成されていることを特徴とする。【選択図】図１
2019146379.tif 000002
【特許請求の範囲】
【請求項１】
屋根の上に敷設される太陽光発電パネルの太陽電池容量を把握するための太陽光発電パネルレイアウトスケールであって、
建物立面図に重ねる透明シートにて構成され、
前記透明シートには、基準線とレイアウト図が描かれており、
前記基準線は、屋根の外周線の少なくとも二辺に対応する二本の直線からなり、
前記レイアウト図は、前記太陽光発電パネルを前記屋根の勾配に合わせて傾斜した状態のパネル立面図を、前記基準線から所定距離離れた位置で上下左右に複数並列させて構成されている
ことを特徴とする太陽光発電パネルレイアウトスケール。
【請求項２】
前記レイアウト図は、前記屋根の複数の勾配に応じて形成されている
ことを特徴とする請求項１に記載の太陽光発電パネルレイアウトスケール。
【請求項３】
前記レイアウト図は、切妻屋根用のものが形成されており、
切妻屋根用レイアウト図では、矩形の前記太陽光発電パネルが複数並列されており、
前記切妻屋根用レイアウト図での前記基準線は、切妻屋根の上辺と一方の側辺に対応している
ことを特徴とする請求項１または請求項２に記載の太陽光発電パネルレイアウトスケール。
【請求項４】
前記太陽光発電パネルは、長方形を呈しており、
前記切妻屋根用レイアウト図は、前記太陽光発電パネルの長手方向が横向きとなる横置きレイアウトと、前記長手方向が縦向きとなる縦置きレイアウトの二種が形成されている
ことを特徴とする請求項３に記載の太陽光発電パネルレイアウトスケール。
【請求項５】
前記太陽光発電パネルは、長方形の標準パネルと当該標準パネルの長手方向寸法が短縮された小型パネルの二種が使用されており、
前記切妻屋根用レイアウト図では、前記標準パネルのパネル立面図の短辺位置である標準外周ラインの内側に、前記標準パネルの短辺を長手方向にオフセットしてなる前記小型パネルの小型外周ラインが表示されている
ことを特徴とする請求項３または請求項４に記載の太陽光発電パネルレイアウトスケール。
【請求項６】
前記レイアウト図は、寄棟屋根用のものが形成されており、
寄棟屋根用レイアウト図では、斜辺の縁部に傾斜面を有する前記太陽光発電パネルが配置されるとともに内側部に矩形の前記太陽光発電パネルが配置されて並列されており、
前記寄棟屋根用レイアウト図での前記基準線は、寄棟屋根の両側の斜辺に対応している
ことを特徴とする請求項１または請求項２に記載の太陽光発電パネルレイアウトスケール。
【請求項７】
前記レイアウト図の前記パネル立面図には、太陽電池容量がそれぞれ表示されており、
前記太陽電池容量は、前記基準線を構成する二本の前記直線の交点から離れるに連れて大きくなる
ことを特徴とする請求項１乃至請求項６のいずれか一項に記載の太陽光発電パネルレイアウトスケール。
【請求項８】
前記透明シートには、重ねられる前記建物立面図の縮尺を確認するための縮尺確認目盛がさらに描かれており、
前記縮尺確認目盛は、所定長さの確認用直線と該当縮尺での前記確認用直線の寸法値とで構成されている
ことを特徴とする請求項１乃至請求項７のいずれか一項に記載の太陽光発電パネルレイアウトスケール。
【請求項９】
前記基準線および前記レイアウト図は、前記建物立面図と異なる色で表示されている
ことを特徴とする請求項１乃至請求項８のいずれか一項に記載の太陽光発電パネルレイアウトスケール。
【請求項１０】
請求項４に記載の太陽光発電パネルレイアウトスケールを用いた太陽光発電パネルレイアウト方法であって、
前記建物立面図に、前記横置きレイアウトと前記縦置きレイアウトをそれぞれ重ね、パネル設置可能枚数が多いレイアウトを選択する
ことを特徴とする太陽光発電パネルレイアウト方法。
【請求項１１】
請求項５に記載の太陽光発電パネルレイアウトスケールを用いた太陽光発電パネルレイアウト方法であって、
前記建物立面図に、前記切妻屋根用レイアウト図を重ねた際に、前記基準線から離間した側の前記切妻屋根の外周縁部に位置する前記パネル立面図では、前記標準外周ラインと前記小型外周ラインのうち、前記屋根の外周線から内側に所定距離離れたパネル設置可能境界線よりも内側で且つ当該パネル設置可能境界線に近い方のラインを備えた太陽光発電パネルを、前記基準線から離間した側の端部に設置する太陽光発電パネルとして選択する
ことを特徴とする太陽光発電パネルレイアウト方法。
【請求項１２】
請求項８に記載の太陽光発電パネルレイアウトスケールを用いた太陽光発電パネルレイアウト方法であって、
前記建物立面図は、表示サイズが変更可能なディスプレイに表示されており、
前記建物立面図に表示された高さ寸法線のうち、前記縮尺確認目盛の前記寸法値と同じ値で示された寸法線が、該当する前記確認用直線と同じ長さになるように、前記建物立面図を前記ディスプレイで表示させ、
その建物立面図に前記レイアウト図を重ねて、前記太陽光発電パネルの太陽電池容量を把握する
ことを特徴とする太陽光発電パネルレイアウト方法。
【発明の詳細な説明】
【技術分野】
【０００１】
本発明は、太陽光発電パネルレイアウトスケールおよび太陽光発電パネルレイアウト方法に関する。
【背景技術】
【０００２】
屋根の上に敷設される太陽光発電パネルの太陽電池容量を把握する場合、従来は、パネルメーカに依頼して、設計図書から屋根伏図やパネル配置図を作成してもらい、パネルの設置可能枚数や太陽電池容量を提示してもらうようになっていた。しかし、前記方法では、住宅等の購入者にその場で太陽光発電パネルの設置可能枚数や発電量を説明し提案することができない。そこで、設計図面から短時間で太陽光発電パネルの設置可能枚数や太陽電池容量を把握できる手段が要求されている。
【０００３】
設計図面から所望の情報を得るための手段としては、特許文献１に示すようなものがあった。特許文献１の手段は、メーターモデュールを尺モデュールに換算するモデュール換算早見シートであって、シートの中央に、垂直状及び水平状の縦基準線と横基準線が、十字状の空白部を形成するように交叉して表示されている。その左右上下には、４カ所の領域が形成され、各領域内には、９．１ｍｍ四方の方形状マス目が規則的かつ連続的に多数表示されている。このシートを縮尺１／１００のメーターモデュールの図面上に重ねることで、モデュールについての知識がない住宅等購入者、いわゆる素人であっても、メーターモデュールを尺モデュールに迅速かつ容易に換算し、居室等の間取り図の広さ、大きさを十分に認識することができる。
【先行技術文献】
【特許文献】
【０００４】
【特許文献１】実用新案登録第３１３９３９７号公報
【発明の概要】
【発明が解決しようとする課題】
【０００５】
太陽光発電パネルを住宅購入者に説明する際に、図面から迅速かつ容易にパネルの太陽電池容量等を把握できれば好ましいが、そのような手段はないのが現状であるため、迅速な太陽光発電パネルの設置提案を行うことができない問題があった。特許文献１のシートは、メーターモデュールを尺モデュールに換算するものであって、特許文献１には、太陽光発電パネルについては開示も示唆もされていない。
【０００６】
そこで、本発明は、前記の問題を解決するためになされたものであり、図面から迅速かつ容易にパネルの太陽電池容量を把握できる太陽光発電パネルレイアウトスケールおよび太陽光発電パネルレイアウト方法を提供することを課題とする。
【課題を解決するための手段】
【０００７】
前記課題を解決するための請求項１に係る発明は、屋根の上に敷設される太陽光発電パネルの太陽電池容量を把握するための太陽光発電パネルレイアウトスケールであって、建物立面図に重ねる透明シートにて構成されている。前記透明シートには、基準線とレイアウト図が描かれており、前記基準線は、屋根の外周線の少なくとも二辺に対応する二本の直線からなり、前記レイアウト図は、前記太陽光発電パネルを前記屋根の勾配に合わせて傾斜した状態のパネル立面図を、前記基準線から所定距離離れた位置で上下左右に複数並列させて構成されていることを特徴とする。
【０００８】
前記構成によれば、建物立面図の屋根の外周線に基準線を重ねた状態で、太陽光発電パネルレイアウトスケールを建物立面図に重ね、屋根に納まるパネル立面図を確認するだけで、パネルの太陽電池容量を迅速かつ容易に把握することができる。
【０００９】
請求項２に係る太陽光発電パネルレイアウトスケールは、前記レイアウト図は、前記屋根の複数の勾配に応じて形成されていることを特徴とする。このような構成によれば、複数の勾配の屋根に対応して、パネルの太陽電池容量を把握することができる。
【００１０】
請求項３に係る太陽光発電パネルレイアウトスケールは、前記レイアウト図は、切妻屋根用のものが形成されており、切妻屋根用レイアウト図では、矩形の前記太陽光発電パネルが複数並列されており、前記切妻屋根用レイアウト図での前記基準線は、切妻屋根の上辺と一方の側辺に対応していることを特徴とする。このような構成によれば、矩形形状の切妻屋根や片流れ屋根において、パネルの太陽電池容量を把握することができる。
【００１１】
請求項４に係る太陽光発電パネルレイアウトスケールは、前記太陽光発電パネルは、長方形を呈しており、前記切妻屋根用レイアウト図は、前記太陽光発電パネルの長手方向が横向きとなる横置きレイアウトと、前記長手方向が縦向きとなる縦置きレイアウトの二種が形成されていることを特徴とする。このような構成によれば、より多くの太陽光発電パネルをレイアウトして配置することができるので、太陽電池容量を大きくできる。
【００１２】
請求項５に係る太陽光発電パネルレイアウトスケールは、前記太陽光発電パネルは、長方形の標準パネルと当該標準パネルの長手方向寸法が短縮された小型パネルの二種が使用されており、前記切妻屋根用レイアウト図では、前記標準パネルのパネル立面図の短辺位置である標準外周ラインの内側に、前記標準パネルの短辺を長手方向にオフセットしてなる前記小型パネルの小型外周ラインが表示されていることを特徴とする。このような構成によれば、基準線から離れた側の端部の太陽光発電パネルを、標準パネルと小型パネルから選択することで、屋根の周縁部に近い位置に太陽光発電パネルを設置することができるので、パネル面積を大きくできる。
【００１３】
請求項６に係る太陽光発電パネルレイアウトスケールは、前記レイアウト図は、寄棟屋根用のものが形成されており、寄棟屋根用レイアウト図では、斜辺の縁部に傾斜面を有する前記太陽光発電パネルが配置されるとともに内側部に矩形の前記太陽光発電パネルが配置されて並列されており、前記寄棟屋根用レイアウト図での前記基準線は、寄棟屋根の両側の斜辺に対応していることを特徴とする。このような構成によれば、斜辺を有する形状の寄棟屋根や方形屋根において、パネルの太陽電池容量を把握することができる。
【００１４】
請求項７に係る太陽光発電パネルレイアウトスケールは、前記レイアウト図の前記パネル立面図には、太陽電池容量がそれぞれ表示されており、前記太陽電池容量は、前記基準線を構成する二本の前記直線の交点から離れるに連れて大きくなることを特徴とする。このような構成によれば、屋根に納まるパネル立面図のうち、基準線の交点から離れた位置のパネル立面図の数値を見れば、即座に設置可能なパネルによる太陽電池容量を把握することができる。
【００１５】
請求項８に係る太陽光発電パネルレイアウトスケールは、前記透明シートには、重ねられる前記建物立面図の縮尺を確認するための縮尺確認目盛がさらに描かれており、前記縮尺確認目盛は、所定長さの確認用直線と該当縮尺での前記確認用直線の寸法値とで構成されていることを特徴とする。このような構成によれば、建物立面図とレイアウト図の縮尺を確実に合わせることができるので、正確にパネルの太陽電池容量を把握することができる。
【００１６】
請求項９に係る太陽光発電パネルレイアウトスケールは、前記基準線および前記レイアウト図は、前記建物立面図と異なる色で表示されていることを特徴とする。このような構成によれば、透明シートを建物立面図に重ねたときに、建物立面図とレイアウト図の区別を行い易い。
【００１７】
請求項１０に係る発明は、請求項４に記載の太陽光発電パネルレイアウトスケールを用いた太陽光発電パネルレイアウト方法であって、前記建物立面図に、前記横置きレイアウトと前記縦置きレイアウトをそれぞれ重ね、パネル設置可能枚数が多いレイアウトを選択することを特徴とする。このような太陽光発電パネルレイアウト方法によれば、図面から迅速かつ容易に太陽光発電パネルの太陽電池容量を把握することができる上に、より多くの太陽光発電パネルをレイアウトして配置することができるので、太陽電池容量を大きくできる。
【００１８】
請求項１１に係る発明は、請求項５に記載の太陽光発電パネルレイアウトスケールを用いた太陽光発電パネルレイアウト方法であって、前記建物立面図に、前記切妻屋根用レイアウト図を重ねた際に、前記基準線から離間した側の前記切妻屋根の外周縁部に位置する前記パネル立面図では、前記標準外周ラインと前記小型外周ラインのうち、前記屋根の外周線から内側に所定距離離れたパネル設置可能境界線よりも内側で且つ当該パネル設置可能境界線に近い方のラインを備えた太陽光発電パネルを、前記基準線から離間した側の端部に設置する太陽光発電パネルとして選択することを特徴とする。このような太陽光発電パネルレイアウト方法によれば、図面から迅速かつ容易に太陽光発電パネルの太陽電池容量を把握することができる。さらに、基準線から離れた側の端部の太陽光発電パネルを、標準パネルと小型パネルから選択することで、屋根の周縁部に近い位置に太陽光発電パネルを設置することができるので、太陽電池容量を大きくできる。
【００１９】
請求項１２に係る発明は、請求項８に記載の太陽光発電パネルレイアウトスケールを用いた太陽光発電パネルレイアウト方法であって、前記建物立面図は、表示サイズが変更可能なディスプレイに表示されており、前記建物立面図に表示された高さ寸法線のうち、前記縮尺確認目盛の前記寸法値と同じ値で示された寸法線が、該当する前記確認用直線と同じ長さになるように、前記建物立面図を前記ディスプレイで表示させ、その建物立面図に前記レイアウト図を重ねて、前記太陽光発電パネルの太陽電池容量を把握することを特徴とする。このような太陽光発電パネルレイアウト方法によれば、表示サイズが変更可能なディスプレイに表示された建物立面図であっても、所定の縮尺で表示して、迅速、容易且つ正確にパネルの太陽電池容量を把握することができる。
【発明の効果】
【００２０】
本発明に係る太陽光発電パネルレイアウトスケールおよび太陽光発電パネルレイアウト方法によれば、図面から迅速かつ容易に太陽光発電パネルの太陽電池容量を把握することができる。
【図面の簡単な説明】
【００２１】
【図１】切妻屋根用の太陽光発電パネルレイアウトスケールを示した平面図である。
【図２】切妻屋根用の太陽光発電パネルレイアウトスケールを示した要部拡大図である。
【図３】寄棟屋根用の太陽光発電パネルレイアウトスケールを示した平面図である。
【図４】寄棟屋根用の太陽光発電パネルレイアウトスケールを示した要部拡大図である。
【図５】切妻屋根を備えた建物の一例を示した建物立面図である。
【図６】縮尺確認目盛の使用状態を示した平面図である。
【図７】切妻屋根用レイアウト図の横置きレイアウトの使用状態を示した平面図である。
【図８】切妻屋根用レイアウト図の縦置きレイアウトの使用状態を示した平面図である。
【図９】寄棟屋根を備えた建物の一例を示した建物立面図である。
【図１０】寄棟屋根用レイアウト図の偶数レイアウトの使用状態を示した平面図である。
【図１１】寄棟屋根用レイアウト図の奇数レイアウトの使用状態を示した平面図である。
【発明を実施するための形態】
【００２２】
本発明の実施形態に係る太陽光発電パネルレイアウトスケールおよび太陽光発電パネルレイアウト方法について、図面を参照しながら詳細に説明する。まずは、太陽光発電パネルレイアウトスケールの構成を説明する。
【００２３】
図１乃至図４に示すように、太陽光発電パネルレイアウトスケール１は、透明シート２にて構成されており、透明シート２には、基準線１０とレイアウト図２０と縮尺確認目盛３０とが描かれている。基準線１０とレイアウト図２０と縮尺確認目盛３０は、建物立面図３と異なる色（たとえば赤色）で表示されている。本実施形態では、太陽光発電パネルレイアウトスケール１は、切妻屋根用のものと寄棟屋根用のものの二種が形成されている。
【００２４】
透明シート２は、建物立面図３（図５または図９参照）に重ねるものであって、切妻屋根用と寄棟屋根用共に同じ構成である。透明シート２は、樹脂にて構成され、たとえばＡ５サイズの矩形形状を呈している。透明シート２は、常時は平面状に保持されるが、設計図書を広げた際の紙面の曲面に追従できる程度の可撓性を備えている。透明シート２は、本実施形態では無色透明である。なお、透明シート２は、重ねた建物立面図３が透視可能であれば着色されていてもよい。
【００２５】
図５の建物立面図３は、切妻屋根４の建物５の立面図である。切妻屋根４は、側面視矩形形状を呈している。切妻屋根４は、外周線となる上辺６ａと下辺６ｂと一対の側辺６ｃ，６ｄとを備えている。立面図の側部には、建物５の高さ寸法線Ｌ１が記されている。高さ寸法線Ｌ１は、設計ＧＬを基準として、各階の階高と、軒高と、最高高さが記されている。
【００２６】
切妻屋根用の太陽光発電パネルレイアウトスケール１（以下、寄棟屋根用と区別する際に符号を「１ａ」とする場合がある）は、図１に示すように、透明シート２には、切妻屋根用の基準線１０（以下、寄棟屋根用と区別する際に符号を「１０ａ」とする場合がある）と、切妻屋根用のレイアウト図２０（以下、寄棟屋根用と区別する際に「切妻屋根用レイアウト図２０ａ」と称する場合がある）と、縮尺確認目盛３０（切妻屋根用と寄棟屋根用共通）とが描かれている。切妻屋根用の太陽光発電パネルレイアウトスケール１ａは、矩形形状の屋根に適用可能なものであって、切妻屋根４の他に、片流れ屋根などにも適用可能である。
【００２７】
基準線１０ａは、横線１１ａと縦線１１ｂとで構成されている。横線１１ａは、図１および図２中、横方向に延在する直線であって、切妻屋根４の外周線のうち上辺６ａに重ねられる。縦線１１ｂは、横線１１ａと直交する直線であって、図１および図２中、縦方向下側に延在している。縦線１１ｂは、横線１１ａの左端に繋がっており、切妻屋根４のうち、左側の側辺６ｃに重ねられる。つまり、基準線１０ａは、横線１１ａと縦線１１ｂとの交点が、切妻屋根４（図５参照）の左上の出隅角部上に配置され、横線１１ａが上辺６ａ上に重ねられるとともに、縦線１１ｂが左側の側辺６ｃ上に重ねられる。
【００２８】
切妻屋根用レイアウト図２０ａは、太陽光発電パネルを切妻屋根４の勾配に合わせて傾斜した状態のパネル立面図２１（傾斜したパネルを側方から見た投影図）を、上下左右に複数並列させて構成されている。切妻屋根用レイアウト図２０ａは、所定の縮尺にて形成されており、本実施形態では、住宅の図面において一般的な１／１００にて描かれている。
【００２９】
切妻屋根４においては、太陽光発電パネルは、長方形形状を呈しており、パネルメーカによってサイズが決まっている。本実施形態では、図１に示すように、太陽光発電パネルは、長方形の標準パネルＰ１と、当該標準パネルの長手方向寸法が短縮された小型パネルＰ２の二種が使用されている。つまり、標準パネルＰ１の短手方向寸法はそのままで、長手方向寸法を短くしたものが小型パネルＰ２となっている。具体的には、標準パネルは１１６５ｍｍ×９９０ｍｍ、小型パネルは８５６ｍｍ×９９０ｍｍである。パネル立面図２１の外周線は、標準パネルの大きさに基づいて描かれている。透明シート２の左上には、図面の縮尺と、切妻・寄棟の区別と、パネルメーカ（本実施形態ではＳ社）と、パネルサイズと、パネル１枚当たりの発電容量とが表示されている。パネルサイズおよび発電容量は、標準パネルＰ１と小型パネルＰ２の両方が表示されている。小型パネルＰ２には、標準パネルＰ１の発電容量と小型パネルＰ２の発電容量との差も表示されている。
【００３０】
図２に示すように、切妻屋根用レイアウト図２０ａは、屋根の複数の勾配に応じて複数形成されており、各勾配ごとに、横置きレイアウトと縦置きレイアウトの二種がそれぞれ形成されている。屋根勾配は、本実施形態では、採用されることが多い４寸勾配と、５寸勾配と、６寸勾配の三種類が採用されている。透明シート２では、上から、４寸勾配、５寸勾配、６寸勾配の順で、切妻屋根用レイアウト図２０ａが配置されている。なお、勾配はこの三種に限定されるものではなく、住宅メーカ等で標準化されて多く建築される屋根の勾配を採用すればよい。
【００３１】
横置きレイアウトは、太陽光発電パネルの長手方向が横向きとなる配置レイアウトである。横長の太陽光発電パネルを傾斜させているので、パネル立面図２１は、実物のパネル本体よりも縦寸法が小さくなり、さらに横長形状となっている。パネル立面図２１は、左右上下にそれぞれ複数配列されて、切妻屋根用レイアウト図２０ａの全体が長方形に形成されている。
【００３２】
切妻屋根用レイアウト図２０ａの上辺は、基準線１０ａの横線１１ａから下側に所定距離離れた位置に配置されている。上辺と横線１１ａとの距離（上部離間寸法）は、太陽光発電パネルの設置するために棟Ｒ１から離さなければならない寸法に対応している。これは、切妻屋根４の頂部には、棟瓦や金具が設置されるため、その分、太陽光発電パネルを棟Ｒ１の外周線から離さなければならないからである。頂部の外周線から前記距離離れたラインは、パネル設置境界線となる。
【００３３】
切妻屋根用レイアウト図２０ａの左側辺は、基準線１０ａの縦線１１ｂから右側に所定距離離れた位置に配置されている。左側辺と縦線１１ｂとの距離（側部離間寸法）は、太陽光発電パネルの設置するためにケラバＲ２から離さなければならない寸法に対応している。これは、切妻屋根４の側部には、ケラバＲ２用の瓦や水切り金具が設置されるため、その分、太陽光発電パネルを離さなければならないからである。ケラバＲ２の外周線から前記距離離れたラインは、パネル設置境界線となる。
【００３４】
各パネル立面図２１には、太陽電池容量が表示されている。太陽電池容量は、切妻屋根用レイアウト図２０ａの右下になるに連れて大きくなる。ある位置のパネル立面図２１に表示された太陽電池容量は、当該パネルの太陽電池容量と、当該パネルの上と左に位置する他のパネルの太陽電池容量を合わせた数値となっている。つまり、屋根に設置可能な位置の複数のパネル立面図２１のうち、右下のパネル立面図２１に表示された数値が、設置可能な太陽光発電パネルの太陽電池容量となっている。標準パネルＰ１の１枚当たりの太陽電池容量は、０．２２５ｋＷである。パネル立面図２１に表示された太陽電池容量は、前記パネル１枚当たりの太陽電池容量と、当該パネルを含み、その上と左に位置する他のパネルの枚数とを乗じた値となる。パネル立面図２１に表示された太陽電池容量は、小数点二位を四捨五入した数値で表示されている。
【００３５】
標準パネルＰ１の大きさで描かれたパネル立面図２１の右側（基準線１０ａの縦線１１ｂから離れた側）の短辺位置である標準外周ライン２２の内側に、標準パネルＰ１の短辺を長手方向に沿って左側にオフセットしてなる小型パネルＰ２の小型外周ライン２３（図１，２に破線にて図示）が表示されている。小型外周ライン２３は、標準パネルＰ１の短辺を長手方向に沿って左側にオフセットしてなる。つまり、小型パネルＰ２の上辺と下辺と縦線１１ｂ側の側辺の３辺は、標準パネルＰ１の上辺と下辺と縦線１１ｂ側の側辺の３辺に重なっており、縦線１１ｂから離れた側の小型パネルＰ２の側辺（小型外周ライン２３）は、縦線１１ｂから離れた側の標準パネルの側辺（標準外周ライン２２）と平行であって、パネル立面図２１の内側で、標準外周ライン２２の左側に位置している。
【００３６】
縦置きレイアウトは、太陽光発電パネルの長手方向が縦向きとなる配置レイアウトである。縦置きレイアウトは、透明シート２で横置きレイアウトの下側に並んで配置されている。縦置きレイアウトのパネル立面図２１は、横置きレイアウトのパネル立面図２１よりも横幅寸法が小さく、高さ寸法が大きい。縦置きレイアウトのパネル立面図２１も、横置きレイアウトと同様に、左右上下にそれぞれ複数配列されて、切妻屋根用レイアウト図２０ａの全体が長方形に形成されている。縦置きレイアウトの切妻屋根用レイアウト図２０ａは、横置きレイアウトの切妻屋根用レイアウト図２０ａと比較して、横方向のパネル立面図２１の配列枚数が多く、縦方向のパネル立面図２１の配列枚数が小さくなっている。
【００３７】
縦置きレイアウトも、横置きレイアウトと同様に、切妻屋根用レイアウト図２０ａの上辺は、基準線１０ａの横線１１ａから所定距離離れた位置に配置されている。上辺と横線１１ａとの距離（上部離間寸法）は、太陽光発電パネルを設置するために棟Ｒ１から離さなければならない寸法に対応している。また、切妻屋根用レイアウト図２０ａの左側辺は、基準線１０ａの縦線１１ｂから所定距離離れた位置に配置されている。左側辺と縦線１１ｂとの距離（側部離間寸法）は、太陽光発電パネルを設置するためにケラバＲ２から離さなければならない寸法に対応している。
【００３８】
また、各パネル立面図２１には、横置きレイアウトと同様に、太陽電池容量が表示されている。太陽電池容量は、切妻屋根用レイアウト図２０ａの右下になるに連れて大きくなる。
【００３９】
標準パネルＰ１の大きさで描かれたパネル立面図２１の下側（基準線１０ａの横線１１ａから離れた側）の短辺位置である標準外周ライン２２の内側に、小型外周ライン２３（図１，２に破線にて図示）が表示されている。小型外周ライン２３は、標準パネルＰ１の短辺を長手方向に沿って上側にオフセットしてなる小型パネルＰ２のラインである。つまり、小型パネルＰ２の上辺と左右の側辺の３辺は、標準パネルＰ１の上辺と左右の側辺の３辺に重なっており、小型パネルＰ２の下辺（小型外周ライン２３）は、標準パネルＰ１の下辺（標準外周ライン２２）と平行であって、パネル立面図２１の内側で、標準外周ライン２２の上側に位置している。
【００４０】
図１に示すように、５寸勾配および６寸勾配の切妻屋根用レイアウト図２０ａは、４寸勾配の切妻屋根用レイアウト図２０ａと基本的に同じ構成である。但し、５寸勾配、６寸勾配と勾配が大きくなるに連れて、太陽光発電パネルの側方からみた見かけの高さが大きくなるので、パネル立面図２１の高さが大きくなる。
【００４１】
縮尺確認目盛３０は、重ねられる建物立面図３の縮尺を確認するための図である。縮尺確認目盛３０は、所定長さの確認用直線３１と該当縮尺での確認用直線３１の寸法値３２とで構成されている。確認用直線３１は、縦方向に延在する第一確認用直線３１ａと横方向に延在する第二確認用直線３１ｂとを備えている。
【００４２】
第一確認用直線３１ａは、建物立面図３の高さ寸法線Ｌ１に重ねられる線である。第一確認用直線３１ａには、１／１００における設計ＧＬから各階の階高と、軒高と、最高高さの位置に横線が記されている。各高さ位置には、寸法値３２が記されている。寸法値３２は、住宅メーカ等における標準値が記されている。本実施形態では、複数種の高さ寸法値３２と横線が記されており、そのうちの一つが、建物立面図３の高さ寸法線と合っていれば、建物立面図３の縮尺が合っている（１／１００である）ことが確認できる。第二確認用直線３１ｂは、モデュールに合わせた長さになっており、具体的には、９１０，１８２０ｍｍの位置に縦線が記されている。縦線の位置には、９１０，１８２０の寸法値３２が記されている。この第二確認用直線３１ｂの長さが、建物立面図３のモデュールを示した寸法線と合っていれば、建物立面図３の縮尺が合っている（１／１００である）ことが確認できる。
【００４３】
その他、透明シート２の右下には、方位係数が標示されている。方位係数は、屋根が向いている方角によって発電効率が変わるため、補正する必要があるが、そのための補正係数である。補正係数の値は、南向きが１．０、南東、南西向きが０．９６、東・西向きが０．８５となっている。なお、北向きは基本的に太陽光発電パネルを設置しない場合が多いため、表示していない。
【００４４】
図示していないが、透明シート２には、発電量簡易計算式や電気の買い取り価格（参考値）が表示されている。発電量簡易計算式は、たとえば「年間発電量（ｋＷｈ）＝搭載容量（ｋＷ）×１１００×方位係数」と「年間発電料金（円）＝年間発電量（ｋＷｈ）か×電気料金（円／ｋＷｈ）」の２式が表示されている。なお、搭載容量は、当該屋根に布設する太陽電池容量を示す。また、透明シート２の右上には、パンチ穴を開けるガイドとなる円が表示されている。
【００４５】
寄棟屋根用の太陽光発電パネルレイアウトスケール１（以下、切妻寄棟屋根用と区別する際に符号を「１ｂ」とする場合がある）は、図３および図４に示すように、透明シート２に、寄棟屋根用の基準線１０（以下、切妻屋根用と区別する際に符号を「１０ｂ」とする場合がある）と、寄棟屋根用のレイアウト図２０（以下、切妻屋根用と区別する際に「寄棟屋根用レイアウト図２０ｂ」と称する場合がある）と、縮尺確認目盛３０とが描かれている。寄棟屋根用の太陽光発電パネルレイアウトスケール１ｂは、側辺が傾斜している屋根に適用可能なものであって、寄棟屋根７の他に、方形屋根などにも適用可能である。
【００４６】
寄棟屋根用の太陽光発電パネルレイアウトスケール１ｂは、図９の建物立面図３に重ねる。図９の建物立面図３は、寄棟屋根７の建物５の立面図である。図示した寄棟屋根７は平であって、側面視矩形形状を呈している。寄棟屋根７は、外周線となる上辺８ａと下辺８ｂと一対の側辺８ｃ，８ｄとを備えている。側辺８ｃ，８ｄは、下方になるに連れて外側に広がるように傾斜しており、寄棟屋根７は側面視で台形形状を呈している。なお、図示はしていないが、寄棟屋根７の台形形状の平を９０度回転した小平の側面視は、三角形形状を呈している。図７の建物立面図と同様に、立面図の側部には、建物５の高さ寸法（図示せず）が記されている。高さ寸法は、設計ＧＬを基準として、各階の階高と、軒高と、最高高さが記されている。
【００４７】
基準線１０ｂは、左右対象に配置された二対の傾斜線１２ａ，１２ｂ，１３ａ，１３ｂとで構成されている。上側に位置する傾斜線１２ａ，１２ｂは、図３および図４中、下方に向かうに連れて互いに拡がる八の字状に配置された直線である。傾斜線１２ａ，１２ｂは、寄棟屋根７の屋根材が瓦の場合に、寄棟屋根７の外周線のうち一対の側辺８ｃ，８ｄに重ねられる。傾斜線１２ａ，１２ｂは、屋根勾配に応じて角度が決定されている。傾斜線１２ａ，１２ｂの下側に位置する傾斜線１３ａ，１３ｂは、図３および図４中、下方に向かうに連れて互いに拡がる八の字状に配置された直線である。傾斜線１３ａ，１３ｂは、寄棟屋根７の屋根材がスレートの場合に、寄棟屋根７の外周線のうち一対の側辺８ｃ，８ｄに重ねられる。傾斜線１３ａ，１３ｂは、屋根勾配に応じて角度が決定されており、左右の傾斜線１２ａ，１２ｂとそれぞれ平行になっている。以上のように傾斜線１２ａ，１２ｂ，１３ａ，１３ｂが二対設けられているのは、隅棟Ｒ３に配置される棟瓦が、スレート用の棟板金より大きいため、太陽光発電パネルを設置するために隅棟Ｒ３から離さなければならない寸法が異なるからである。つまり、瓦屋根での隅棟Ｒ３から太陽光発電パネルの設置可能位置までの距離（パネル設置可能寸法）が、スレート屋根での隅棟Ｒ３から太陽光発電パネルの設置可能位置までの距離（パネル設置可能寸法）より大きいため、瓦屋根用の傾斜線１２ａ，１２ｂが、スレート屋根用の傾斜線１３ａ，１３ｂよりも上側（外側）に位置している。傾斜線１２ａ，１２ｂと傾斜線１３ａ，１３ｂとの距離は、瓦屋根でのパネル設置可能寸法から、スレート屋根でのパネル設置可能寸法を減じた値となる。
【００４８】
瓦用の傾斜線１２ａ，１２ｂまたはスレート用の傾斜線１３ａ，１３ｂを、側面視台形形状の寄棟屋根７（平）の側面図に重ねる場合は、基準線１０ｂの上端部は、寄棟屋根７の上方に突出し、基準線１０ｂの下部が側面図の側辺８ｃ，８ｄに重なる。また、瓦用の傾斜線１２ａ，１２ｂまたはスレート用の傾斜線１３ａ，１３ｂを、側面視台三角形形状の寄棟屋根（小平）の側面図に重ねる場合は、寄棟屋根７の側面図の頂点が、基準線１０ｂの頂部から上方に突出した状態で、基準線１０ｂは上端から側面図の側辺８ｃ，８ｄに重なる。
【００４９】
寄棟屋根用レイアウト図２０ｂは、太陽光発電パネルを寄棟屋根７の勾配に合わせて傾斜した状態のパネル立面図２４，２５（傾斜したパネルを側方から見た投影図）を、上下左右に複数並列させて構成されている。寄棟屋根用レイアウト図２０ｂは、所定の縮尺にて形成されており、本実施形態では、住宅の図面において一般的な１／１００にて描かれている。寄棟屋根７においては、太陽光発電パネルは、台形形状の傾斜パネルＰ３と長方形形状の矩形パネルＰ４の二種が使用されている。傾斜パネルＰ３は、側辺８ｃ（８ｄ）の近傍に配置されるものであって、一方の側面が側辺８ｃ（８ｄ）に沿って傾斜している。傾斜パネルＰ３に対応するパネル立面図２４は、横方向の並び列の両端部に配置されており、傾斜部分が外側に向くように配置されている。矩形パネルＰ４に対応するパネル立面図２５は、両端のパネル立面図２４，２４の間に配置されている。傾斜パネルＰ３と矩形パネルＰ４は、パネルメーカによってサイズが決まっている。具体的には、矩形パネルＰ４は８５６ｍｍ×９９０ｍｍ（小型パネルと同じ）であって、傾斜パネルＰ３は、下辺が１０９２ｍｍで、一方の側辺が９９０ｍｍ（高さ寸法）である。なお、傾斜パネルＰ３の他方の斜辺は、屋根勾配に応じて傾斜角度が異なる。図面の縮尺と、切妻・寄棟の区別と、パネルメーカ（本実施形態ではＳ社）と、パネルサイズは、透明シート２の左上に表示されている。パネルサイズは、傾斜パネルＰ３と矩形パネルＰ４の両方が表示されている。
【００５０】
図３に示すように、寄棟屋根用レイアウト図２０ｂは、屋根の複数の勾配に応じて複数形成されており、各勾配ごとに、偶数レイアウトと奇数レイアウトの二種がそれぞれ形成されている。屋根勾配は、切妻屋根用レイアウト図２０ａと同様に、採用されることが多い４寸勾配と、５寸勾配と、６寸勾配の三種類が採用されている。透明シート２では、上から、４寸勾配、５寸勾配、６寸勾配の順で、寄棟屋根用レイアウト図２０ｂが配置されている。なお、勾配はこの三種に限定されるものではなく、住宅メーカ等で標準化されて多く建築される屋根の勾配を採用すればよい。
【００５１】
図４に示すように、偶数レイアウトは、左右両端のパネル立面図２４（傾斜パネルＰ３に対応）の間に配置されるパネル立面図２５（矩形パネルＰ４に対応）の枚数が偶数となるレイアウトである。最上段の横列は、一対のパネル立面図２４のみであって、矩形パネルは配置されていない。上から二段目の横列では、両端のパネル立面図２４，２４の間に２枚のパネル立面図２５，２５が配置されている。２枚のパネル立面図２５，２５の当接位置が、横列の左右の中心位置となる。さらにその下段となる、上から三段目の横列では、両端のパネル立面図２４，２４の間に４枚のパネル立面図２５，２５・・が配置されている。４枚のパネル立面図２５，２５・・のうち、内側２枚のパネル立面図２５，２５の当接位置が、横列の左右の中心位置となる。以下、下の段に向かうに連れて、パネル立面図２４，２４間のパネル立面図２５が６枚、８枚というように、２枚ずつ増えていく。パネル立面図２５は、縦方向にも直線状に並んでいる。本実施形態では、寄棟屋根用レイアウト図２０ｂは、上下六段で形成されている。
【００５２】
かかる寄棟屋根用レイアウト図２０ｂの下端辺の下方には、軒先Ｒ４の離れ寸法（太陽光発電パネルを設置するために軒先Ｒ４から離さなければならない寸法）離れた位置に軒先基準線１４が破線にて表示されている。軒先基準線１４は、寄棟屋根用レイアウト図２０ｂの下端辺と平行である。一つ上の太陽光発電パネルの段の横列の下端辺の下方にも、軒先の離れ寸法離れた位置に軒先基準線１４ａが破線にて表示されている。上の太陽光発電パネルの段では、軒先基準線１４ａが下の太陽光発電パネルの段の横列に重なってしまうので、軒先基準線１４ａは、両端のパネル立面図２４，２４の外側に表示されている。外側の軒先基準線１４ａは、各段の外側にそれぞれ表示されている。
【００５３】
奇数レイアウトは、左右両端のパネル立面図２４，２４の間に配置されるパネル立面図２５の枚数が奇数となるレイアウトである。最上段の太陽光発電パネルは、両端のパネル立面図２４，２４の間に１枚のパネル立面図２５が配置されている。このパネル立面図２５の中間部が、横列の左右の中心位置となる。上から二段目では、両端のパネル立面図２４，２４の間に３枚のパネル立面図２５，２５，２５が配置されている。３枚のうちの中央のパネル立面図２５の中間部が、横列の左右の中心位置となる。以下、下の段に向かうに連れて、パネル立面図２４，２４間のパネル立面図２５が５枚、７枚というように、２枚ずつ増えていく。パネル立面図２５は、縦方向にも直線状に並んでいる。本実施形態では、寄棟屋根用レイアウト図２０ｂは、上下六段で形成されている。奇数レイアウトでも、軒先基準線１４，１４ａ，１４ａ・・が表示されている。
【００５４】
寄棟屋根用レイアウト図２０ｂの傾斜した両側辺は、基準線１０ｂから所定距離離れた位置に配置されている。左側の側辺と上左側の傾斜線１２ａとの距離は、瓦屋根において、太陽光発電パネルを設置するために隅棟から離さなければならない寸法に対応している。また、右側の側辺と上右側の傾斜線１２ａとの距離は、瓦屋根において、太陽光発電パネルを設置するために隅棟から離さなければならない寸法に対応している。これらは、瓦屋根の寄棟屋根７の隅棟には、棟瓦が設置されるため、その分、太陽光発電パネルを外周線から離さなければならないからである。側辺の外周線から前記距離離れたラインは、パネル設置境界線となる。
【００５５】
ここで、傾斜線１２ａ，１２ｂと傾斜線１３ａ，１３ｂとの距離は、瓦屋根でのパネル設置可能寸法から、スレート屋根でのパネル設置可能寸法を減じた値となっているので、寄棟屋根用レイアウト図２０ｂを前記位置に配置すると、傾斜した両側辺は、傾斜線１３ａ，１３ｂから、スレート屋根において太陽光発電パネルを設置するために隅棟から離さなければならない寸法に対応することとなる。
【００５６】
奇数レイアウトでは、最上段に位置するパネル立面図２４，２５，２４の横幅が、偶数レイアウトの最上段に位置するパネル立面図２４，２４の横幅より大きくなっている。したがって、奇数レイアウトで最上段に位置するパネル立面図２４，２５，２４の高さ位置は、偶数レイアウトで最上段に位置するパネル立面図２４，２４の高さ位置よりも低くなっている。
【００５７】
寄棟屋根用レイアウト図２０ｂの右端で、傾斜して配列されたパネル立面図２４には、太陽電池容量が表示されている。ある段の右端のパネル立面図２４に表示された太陽電池容量は、当該段の横列のパネルの太陽電池容量と、当該段の上側に位置する横列のパネルの太陽電池容量を合わせたものとなっている。つまり、屋根に設置可能な位置の複数のパネル立面図２４，２５のうち、右下のパネル立面図２４に表示された数値が、設置可能な太陽光発電パネルの太陽電池容量となっている。矩形パネルＰ４一枚当たりの太陽電池容量は、０．１５９ｋＷで、傾斜パネルＰ３一枚当たりの太陽電池容量は、０．１０３ｋＷである。パネル立面図２４に表示された太陽電池容量は、当該段の横列のパネルの太陽電池容量と、当該段の上側に位置する横列のパネルの太陽電池容量を合わせた値の小数点二位を四捨五入した数値で表示されている。
【００５８】
図３に示すように、５寸勾配および６寸勾配の寄棟屋根用レイアウト図２０ｂは、４寸勾配の寄棟屋根用レイアウト図２０ｂと基本的に同じ構成である。但し、５寸勾配、６寸勾配と勾配が大きくなるに連れて、基準線１０ｂの傾斜がきつくなる。さらに、太陽光発電パネルの側方からみた見かけの高さが大きくなるので、パネル立面図２４，２５の高さが大きくなる。
【００５９】
縮尺確認目盛３０は、切妻屋根用の太陽光発電パネルレイアウトスケール１ａと同様の構成であるので、同じ符号を付して説明を省略する。その他、透明シート２の右下には、方位係数が標示されている。また、図示していないが、透明シート２には、発電量簡易計算式や電気の買い取り価格（参考値）が表示されている。方位係数および発電量簡易計算式も切妻屋根用の太陽光発電パネルレイアウトスケール１ａと同様の構成である。
【００６０】
次に前記構成の太陽光発電パネルレイアウトスケール１を用いた太陽光発電パネルレイアウト方法を説明する。まず、切妻屋根用の太陽光発電パネルレイアウトスケール１ａを使用した場合の太陽光発電パネルレイアウト方法を説明する。かかる太陽光発電パネルレイアウト方法は、縮尺確認工程と、パネルレイアウト工程とを備えている。
【００６１】
縮尺確認工程は、重ねられる建物立面図３の縮尺が、太陽光発電パネルレイアウトスケール１と同じであるかを確認する工程である。図６に示すように、縮尺確認工程では、縮尺確認目盛３０を用いる。本実施形態では、建物立面図３の側部に表示された高さ寸法線Ｌ１に、第一確認用直線３１ａを並べる。ここで、高さ寸法線Ｌ１の数値と、縮尺確認目盛３０の寸法値３２とで同じ数値のものを探すと、軒高の寸法「５７８９」が共通している。設計ＧＬの高さを揃えた上で、軒高の寸法値３２の隣の横線と、高さ寸法線Ｌ１の軒高の位置とを比較する。これらの高さが合っていれば、建物立面図３の縮尺が合っていることが確認できる。
【００６２】
なお、第一確認用直線３１ａの寸法値３２の中で、高さ寸法線Ｌ１の数値と共通するものがない場合には、建物立面図３の中から、モデュール寸法線を見つけ、第二確認用直線３１ｂを並べて、長さを比較すればよい。
【００６３】
パネルレイアウト工程は、屋根に太陽光発電パネルの配置レイアウトを簡易的に行い、太陽電池容量を把握する工程である。パネルレイアウト工程では、まず、対象建物の屋根勾配を確認し、該当する屋根勾配（本実施形態では５寸勾配）の切妻屋根用レイアウト図２０ａを選択する。
【００６４】
そして、図７に示すように、横置きレイアウトの切妻屋根用レイアウト図２０ａと基準線１０ａを建物立面図３の右側の切妻屋根４上に重ねる。基準線１０ａの横線１１ａと縦線１１ｂとの交点を切妻屋根４の左上の出隅に合わせるとともに、横線１１ａを棟ラインである上辺６ａに重ね、縦線１１ｂを左のケラバラインである側辺６ｃに重ねる。
【００６５】
この状態で、どのパネル立面図２１までが切妻屋根４に設置可能かを判定する。この判定を行うに際しては、まず、右のケラバＲ２の近傍での判定を行う。ケラバＲ２での判定は、標準外周ライン２２と小型外周ライン２３のうち、切妻屋根４の外周線から内側に所定距離離れたパネル設置可能境界線よりも内側で且つ当該パネル設置可能境界線に近い方のラインを備えた太陽光発電パネルを、基準線から離間した側の端部に設置する太陽光発電パネルとして選択する。具体的には、右のケラバＲ２から所定距離（左側のケラバＲ２の離れ寸法と同等の距離）左側に離れた位置に、パネル設置可能境界線Ｌ２を引く（このラインは想定すればよく、実際に描かなくてもよい）。このパネル設置可能境界線Ｌ２に重なるパネル立面図２１は、設置不可となるため、これより左側に位置するパネル立面図２１が設置可能と判定する。
【００６６】
ここで、パネル設置可能境界線Ｌ２に重なったパネル立面図２１の小型外周ライン２３がパネル設置可能境界線Ｌ２の左右いずれにあるかを判定する。本実施形態では、小型外周ライン２３がパネル設置可能境界線Ｌ２の右側にあるので、小型パネルＰ２を用いても右側のケラバＲ２の近傍にパネルを設置することはできない。なお、小型外周ライン２３がパネル設置可能境界線Ｌ２の左側にある場合には、右端のパネルを小型パネルＰ２に変更すれば、右側のケラバＲ２の近傍にパネルを設置することができる。この場合、太陽電池容量は、右下のパネルに表示された数値から、標準パネルＰ１の発電容量と小型パネルＰ２との発電容量との差分を減じて算出する。差分を減じるのは、設置可能なパネル立面図２１のうち、右端に位置するパネル立面図２１の枚数分である。
【００６７】
次に、軒先Ｒ４の近傍での判定を行う。軒先Ｒ４から、上方に所定距離（棟Ｒ１の離れ寸法と同等の距離）離れた位置にパネル設置可能境界線Ｌ３を引く（このラインは想定すればよく、実際に描かなくてもよい）。このパネル設置可能境界線Ｌ３に重なるパネル立面図２１は、設置不可となるため、これより上側に位置するパネル立面図２１が設置可能と判定する。以上の判定を行うと、図７中、太線で囲まれた範囲が設置可能なパネル立面図２１となる。この範囲の右下のパネル立面図２１を見ると、横置きレイアウトでは太陽電池容量が５．４ｋＷであることが分かる。
【００６８】
横置きレイアウトの判定が終わったら、縦置きレイアウトの判定を行う。図８に示すように、縦置きレイアウトの判定は、横置きレイアウトの判定と基本的に同等であるが、小型パネルＰ２が設置できるか否かの判定は、右のケラバＲ２ではなく、軒先Ｒ４部分において行う。パネル設置可能境界線Ｌ３に重なったパネル立面図２１の小型外周ライン２３がパネル設置可能境界線Ｌ３の上下いずれにあるかを判定する。本実施形態では、小型外周ライン２３がパネル設置可能境界線Ｌ３の上側にあるので、下端のパネルを標準パネルＰ１から小型パネルＰ２に変更することで、軒先Ｒ４の近傍にパネルを設置することができる。この場合、太陽電池容量は、右下のパネルに表示された数値（６．３ｋＷ）から、標準パネルＰ１の発電容量と小型パネルＰ２との発電容量との差分（−０．０６６ｋＷ）を減じて算出する。差分を減じるのは、設置可能なパネル立面図２１のうち、下端の横列に位置するパネル立面図２１の枚数分である。具体的には、太陽電池容量は、６．３−０．０６６×７＝５．８ｋＷとなる。なお、小型外周ライン２３がパネル設置可能境界線Ｌ３の下側にある場合には、小型パネルＰ２を用いても軒先Ｒ４の近傍にパネルを設置することはできない。
【００６９】
なお、その他の手順については、横置きレイアウトの判定と同等であるので、説明を省略する。
【００７０】
以上の判定を行うと、図８中、太線（小型外周ライン２３と重なる部分は一部破断して示している）で囲まれた範囲が設置可能なパネル立面図２１となる。この範囲の太陽電池容量は、５．８ｋＷと算出される。この太陽電池容量を、横置きレイアウトの太陽電池容量（５．４ｋＷ）と比較すると、縦置きレイアウトの方が大きいので、この屋根面においては、縦置きレイアウトを採用することとなる。最後に、屋根の向いている方角に応じて、方位係数を乗じる。
【００７１】
その他の屋根面においても、前記手順と同様の手順で、太陽光発電パネルのレイアウトを行い、各屋根面の太陽電池容量を加えることで、建物全体の太陽電池容量を把握することができる。
【００７２】
次に寄棟屋根用の太陽光発電パネルレイアウトスケール１ｂを使用した場合の太陽光発電パネルレイアウト方法を説明する。かかる太陽光発電パネルレイアウト方法は、縮尺確認工程と、パネルレイアウト工程とを備えている。縮尺確認工程は、切妻屋根での太陽光発電パネルレイアウト方法と同じであるので、説明を省略する。
【００７３】
パネルレイアウト工程では、対象建物の屋根勾配を確認した後に、該当する屋根勾配（本実施形態では４寸勾配）の寄棟屋根用レイアウト図２０ｂを選択する。本実施形態では、偶数レイアウト、奇数レイアウトの順で太陽光発電パネルのレイアウトを行う。
【００７４】
そして、次に、寄棟屋根７の表面材が瓦系であるかスレート系であるかを確認した後、重ねる基準線１０ｂを選択する。本実施形態では、スレート系の屋根材を使用しているので、図１０に示すように、下側の傾斜線１３ａ，１３ｂを隅棟Ｒ３となる寄棟屋根７の側辺８ｃ，８ｄに重ねる。具体的には、左の傾斜線１３ａを側辺８ｃに重ねるとともに、右の傾斜線１３ｂを側辺８ｄに重ねる。このとき、図８および図９に図示した寄棟屋根７は、側面視断面形状の平の部分であるので、側辺８ｃ，８ｄの上端部は、寄棟屋根７の上辺８ａよりも上方に突出するようになる。
【００７５】
次に、どの横列のパネル立面図２４，２５までが寄棟屋根７に設置可能かを判定する。この判定を行うに際しては、まず、各横列のパネル立面図２４，２５と寄棟屋根７の下辺８ｂ（軒先ライン）との位置関係を比較する。上から六段目の横列では、軒先基準線１４が下辺８ｂよりも下に位置するため設置不可である。上から五段目の横列では、斜め下に位置する軒先基準線１４ａが下辺８ｂよりも上に位置するため設置可能である。これによって、上から五段目の横列が、設置可能な最下の横列となることが分かる。
【００７６】
その後、各横列のパネル立面図２４，２５と寄棟屋根７の上辺８ａ（棟ライン）との位置関係を比較する。上から二段目の横列では、パネルと上辺８ａが重なっているので設置不可である。上から三段目の横列では、パネル立面図２４，２５の上端が、上辺８ａよりも下方に位置し、さらにパネル立面図２４，２５の上端と上辺８ａとの距離は、パネルの屋根上端からの設置可能距離より長いので、設置可能である。これによって、二段目より上の横列は、設置不可であり、上から三段目の横列が、設置可能な最上の横列となることが分かる。
【００７７】
以上のことより、図１０中、太線で囲まれた範囲である上から三段目乃至五段目の横列が、寄棟屋根７上に設置可能なパネル立面図２４，２５となる。次に、設置可能な太陽光発電パネルの太陽電池容量を算出する。具体的には、設置可能な最下の段（五段目）の横列の右端のパネル立面図２５に表示された太陽電池容量（４．２ｋＷ）から、設置可能な最上の段（三段目）の上の段（二段目）の横列の右端のパネル立面図２５に表示された太陽電池容量（０．７ｋＷ）を減じる。この結果、偶数レイアウトでは太陽電池容量が３．５ｋＷであることが分かる。
【００７８】
偶数レイアウトの判定が終わったら、奇数レイアウトの判定を行う。奇数レイアウトの判定は、偶数レイアウトの判定と同等である。奇数レイアウトで最上段に位置するパネル立面図２４，２５，２４の高さ位置は、偶数レイアウトで最上段に位置するパネル立面図２４，２４の高さ位置よりも低くなっているので、奇数レイアウトの寄棟屋根用レイアウト図２０ｂは、全体が偶数レイアウトの寄棟屋根用レイアウト図２０ｂよりも低い位置に下っている。したがって、奇数レイアウトと偶数レイアウトの判定結果が異なる。
【００７９】
図１１に示すように、上から五段目の横列では、その斜め下に位置する軒先基準線１４が下辺８ｂよりも下に位置するため設置不可である。上から四段目の横列では、斜め下に位置する軒先基準線１４ａが下辺８ｂよりも上に位置するため設置可能である。これによって、上から四段目の横列が、設置可能な最下の横列となることが分かる。
【００８０】
上から二段目の横列では、パネルと上辺８ａが重なっているので設置不可である。上から三段目の横列では、パネル立面図２４，２５の上端が、上辺８ａよりも下方に位置し、さらにパネル立面図２４，２５の上端と上辺８ａとの距離は、パネルの屋根上端からの設置可能距離より長いので、設置可能である。これによって、二段目より上の横列は、設置不可であり、上から三段目の横列が、設置可能な最上の横列となることが分かる。
【００８１】
以上のことより、図１１中、太線で囲まれた範囲である上から三段目および四段目の横列が、寄棟屋根７上に設置可能なパネル立面図２４，２５となる。次に、設置可能な太陽光発電パネルの太陽電池容量を算出する。具体的には、設置可能な最下の段（四段目）の横列の右端のパネル立面図２５に表示された太陽電池容量（３．４ｋＷ）から、設置可能な最上の段（三段目）の上の段（二段目）の横列の右端のパネル立面図２５に表示された太陽電池容量（０．７ｋＷ）を減じる。この結果、偶数レイアウトでは太陽電池容量が２．７ｋＷであることが分かる。これを偶数レイアウトの太陽電池容量（３．５ｋＷ）と比較すると、偶数レイアウトの方が大きいので、この屋根面においては、偶数レイアウトを採用することが好ましい。
【００８２】
その他の屋根面においても、前記手順と同様の手順で、太陽光発電パネルのレイアウトを行い、各屋根面の太陽電池容量を加えることで、建物全体の太陽電池容量を把握することができる。
【００８３】
なお、本実施形態では、側面視台形形状の寄棟屋根７において判定を行ったため、上部で設置できない太陽光発電パネル分の太陽電池容量をひいているが、側面視三角形形状の寄棟屋根で判定を行う場合には、寄棟屋根用レイアウト図１０ｂの上端の太陽光発電パネルも設置可能である。したがって、三角形形状の屋根の場合は、台形形状の屋根の場合のように、上部の太陽光発電パネルの太陽電池容量をひく必要はない。
【００８４】
また、左右一方の端部が上辺に対して直角であり、他方の端部が傾斜した形状の屋根においては、切妻屋根用の太陽光発電パネルレイアウトスケール１ａと、寄棟屋根用の太陽光発電パネルレイアウトスケール１ｂとを適宜併用して、各太陽電池容量を加えることで、屋根全体の太陽電池容量を算出することができる。
【００８５】
以上説明した太陽光発電パネルレイアウトスケール１または太陽光発電パネルレイアウト方法によれば、建物立面図３の屋根４，７の外周線に基準線１０を重ねた状態で、太陽光発電パネルレイアウトスケール１を建物立面図３に重ねて、屋根に納まるパネル立面図を確認するだけで、太陽光発電パネルの太陽電池容量を容易に把握することができる。これによって、従来のようにパネルメーカに設計依頼する必要がないので、迅速且つ安価に太陽光発電パネルのレイアウトを把握できる。
【００８６】
レイアウト図２０は、屋根の複数の勾配に応じて形成されているため、複数の勾配の屋根に対応して、パネルの太陽電池容量を把握することができる。また、レイアウト図２０は、切妻屋根用と寄棟屋根用のものが形成されているため、複数の形態の屋根に応じて、パネルの太陽電池容量を把握することができる。
【００８７】
さらに、切妻屋根用レイアウト図２０ａは、横置きレイアウトと縦置きレイアウトの二種が形成されているので、パネル設置可能枚数が多い最適なレイアウトを選択することができ、より多くの太陽光発電パネルをレイアウトして配置することができる。したがって、太陽電池容量を大きくすることができる。
【００８８】
また、切妻屋根４において、太陽光発電パネルは、標準パネルＰ１と小型パネルＰ２の二種が使用されている。そして、切妻屋根用レイアウト図２０ａでは、標準パネルのパネル立面図２１の短辺位置である標準外周ライン２２の内側に、標準パネルの短辺を長手方向にオフセットしてなる小型パネルの小型外周ライン２３が表示されている。そして、ケラバや軒先部分において、標準外周ライン２２と小型外周ライン２３のうち、屋根４，７の外周線から内側に所定距離離れたパネル設置可能境界線Ｌ２，Ｌ３よりも内側で且つ当該パネル設置可能境界線Ｌ２，Ｌ３に近い方のラインを備えた太陽光発電パネル（Ｐ１またはＰ２）を、基準線１０ａから離間した側の端部に設置する太陽光発電パネルとして選択する。つまり、太陽光発電パネルを、標準パネルＰ１と小型パネルＰ２の中から設置可能なパネルを選択することで、切妻屋根４の周縁部に近い位置に太陽光発電パネルを設置することができる。したがって、太陽電池容量を可能な限り大きくすることができる。
【００８９】
一方、寄棟屋根用レイアウト図２０ｂを用いれば、斜辺を有する形状の寄棟屋根や方形屋根において、パネルの太陽電池容量を把握することができる。特に寄棟屋根用の基準線１０ｂは、瓦用の傾斜線１２ａ，１２ｂとスレート用の傾斜線１３ａ，１３ｂを備えているので、屋根の材料に応じて、最適なレイアウトを採用することができ、太陽電池容量をより一層大きくすることができる。
【００９０】
レイアウト図２０のパネル立面図２１には、そのパネル立面図２１を含む左上部分のパネル立面図２１の太陽電池容量が表示されているので、パネル立面図２１を目視するだけで、即座に太陽電池容量を把握することができる。
【００９１】
太陽光発電パネルレイアウトスケール１の透明シート２には、縮尺確認目盛３０が描かれているので、建物立面図３とレイアウト図２０の縮尺を確実に合わせることができる。したがって、正確にパネルの太陽電池容量を把握することができる。
【００９２】
基準線１０およびレイアウト図２０は、建物立面図３と異なる色で表示されているので、透明シート２を建物立面図３に重ねたときに、建物立面図３とレイアウト図２０の区別を行い易い。
【００９３】
次に、本発明に係る太陽光発電パネルレイアウト方法の他の実施形態を説明する。前記実施形態では、紙面に打ち出された建物立面図３に太陽光発電パネルレイアウトスケール１を重ねて、太陽光発電パネルのレイアウトを行っているが、本実施形態では、タブレット等の表示サイズが変更可能なディスプレイに表示された建物立面図に太陽光発電パネルレイアウトスケール１を重ねる。この場合、建物立面図の縮尺が変動するので、縮尺確認目盛３０によって、ディスプレイに表示された建物立面図の縮尺を確定させてから太陽光発電パネルのレイアウトを行う。
【００９４】
縮尺を確定するには、ディスプレイに表示された建物立面図の縮尺を変更しながら、縮尺確認目盛３０と比較する。具体的には、建物立面図に表示された高さ寸法線のうち、縮尺確認目盛３０の寸法値３２で表示された値と同じ寸法線を探し、同じ寸法値で示された直線が、縮尺確認目盛３０の確認用直線３１ａ，３１ｂと同じ長さになるように、建物立面図の縮尺を合わせる。ここで、縮尺を固定して屋根面を表示する。
【００９５】
この状態で、前記した太陽光発電パネルレイアウト方法によって太陽電池容量を把握する。これによれば、表示サイズが変更可能なディスプレイに表示された建物立面図であっても、所定の縮尺（たとえば１／１００）で表示して、迅速、容易且つ正確にパネルの太陽電池容量を把握することができる。
【００９６】
以上、本発明を実施するための形態について説明したが、本発明は前記実施形態に限定されず、本発明の趣旨を逸脱しない範囲で適宜設計変更が可能である。たとえば、前記実施形態では、パネル立面図２１，２４に太陽電池容量を表示しているが、これに限定されるものではない。たとえば、太陽電池容量に代えて、パネル設置可能枚数を表示してもよい。この場合には、設置可能なパネル枚数を把握することができるとともに、パネル枚数にパネル１枚当たりの発電容量を掛ければ、太陽電池容量も把握することができる。
【符号の説明】
【００９７】
１      太陽光発電パネルレイアウトスケール
１ａ    切妻屋根用の太陽光発電パネルレイアウトスケール
１ｂ    寄棟屋根用の太陽光発電パネルレイアウトスケール
２      透明シート
４      切妻屋根
５      建物
７      寄棟屋根
１０    基準線
１０ａ  切妻屋根用の基準線
１０ｂ  寄棟屋根用の基準線
２０    レイアウト図
２０ａ  切妻屋根用レイアウト図
２０ｂ  寄棟屋根用レイアウト図
２２    標準外周ライン
２３    小型外周ライン
３０    縮尺確認目盛
３１    確認用直線
３２    寸法値
Ｐ１    標準パネル
Ｐ２    小型パネル
Ｐ３    傾斜パネル
Ｐ４    矩形パネル
【図１】
2019146379.tif 000003
【図２】
2019146379.tif 000004
【図３】
2019146379.tif 000005
【図４】
2019146379.tif 000006
【図５】
2019146379.tif 000007
【図６】
2019146379.tif 000008
【図７】
2019146379.tif 000009
【図８】
2019146379.tif 000010
【図９】
2019146379.tif 000011
【図１０】
2019146379.tif 000012
【図１１】
2019146379.tif 000013